(57)【要約】      （修正有）【課題】右傾斜仰臥位を使用者が容易に形成することができる右傾斜仰臥位形成用枕を提供する。【解決手段】右傾斜仰臥位形成用枕１は、底面部７と、底面部７の隣り合う２つの底辺部より上方に延びる第１の起立面部１１および第２の起立面部１２と、第１の起立面部１１および第２の起立面部１２の接合部により形成された上方に延びるコーナー部３と、コーナー部３の上部に形成された頂部３０とを備え、第１の起立面部１１および第２の起立面部１２は、コーナー部３と離間する先端方向に向かって高さが低くなる傾斜辺１１ａ，１２ａを有する。枕１は、頂部３０より、第１の起立面部１１の先端方向および第２の起立面部１２の先端方向に延びかつ高さが徐々に低くなる傾斜面部２を備え、かつ、傾斜面部２は、使用者の頭部および肩部を載置可能な広さを備えている。【選択図】図１
0003193403.tif 000002
【実用新案登録請求の範囲】
【請求項１】
使用者に斜め上方右向き仰臥位を形成させるための枕であって、前記枕は、底面部と、前記底面部の隣り合う２つの底辺部より上方に延びる第１の起立面部および第２の起立面部と、前記第１の起立面部および前記第２の起立面部の接合部により形成された上方に延びるコーナー部と、前記コーナー部の上部に形成された頂部とを備え、前記第１の起立面部および前記第２の起立面部は、前記コーナー部と離間する先端方向に向かって高さが低くなる傾斜辺を有し、前記枕は、前記頂部より、前記第１の起立面部の先端方向および前記第２の起立面部の先端方向に延びかつ高さが徐々に低くなる傾斜面部を備え、かつ、前記傾斜面部は、前記使用者の頭部および肩部を載置可能な広さを備えていることを特徴とする右傾斜仰臥位形成用枕。
【請求項２】
前記傾斜面部の先端部は、前記使用者の肩部載置部を形成しており、かつ、前記傾斜面部の先端部は、先端まで段差のない傾斜部となっている請求項１に記載の右傾斜仰臥位形成用枕。
【請求項３】
前記傾斜面部は、実質的に曲面部を持たない平面状のものとなっている請求項１または２に記載の右傾斜仰臥位形成用枕。
【請求項４】
前記傾斜面部は、略矩形状を有し、前記傾斜面部の前記頂部に向かう対角線と前記底面部がなす傾斜角度は、１５〜３０°である請求項１ないし３のいずれかに記載の右傾斜仰臥位形成用枕。
【請求項５】
前記頂部の高さが、１５〜６０ｃｍである請求項１ないし４のいずれかに記載の右傾斜仰臥位形成用枕。
【請求項６】
前記頂部は、平坦部を有している請求項１ないし５のいずれかに記載の右傾斜仰臥位形成用枕。
【請求項７】
前記枕は、前記頂部より、前記第１の起立面部の傾斜上辺とほぼ平行に延びる第１起立面側平行傾斜面部を備えている請求項１ないし６のいずれかに記載の右傾斜仰臥位形成用枕。
【請求項８】
前記枕は、前記頂部より、前記第２の起立面部の傾斜上辺とほぼ平行に延びる第２起立面側平行傾斜面を備えている請求項１ないし７のいずれかに記載の右傾斜仰臥位形成用枕。
【請求項９】
前記枕は、前記第１の起立面部の先端部より所定角度屈曲して延びる第３の起立面を備え、前記第３の起立面は、前記傾斜面部の先端にて終端している請求項１ないし８のいずれかに記載の右傾斜仰臥位形成用枕。
【請求項１０】
前記底面部は、前記コーナー部の下端に向かって上方に傾斜する底面傾斜部を備えている請求項１ないし９のいずれかに記載の右傾斜仰臥位形成用枕。
【請求項１１】
前記底面傾斜部の前記底面部の他の部分に対する傾斜角度は、０．５〜７度である請求項１０に記載の右傾斜仰臥位形成用枕。
【請求項１２】
使用者に斜め上方右向き仰臥位を形成させるための枕であって、前記枕は、底面部と、前記底面部の隣り合う２つの底辺部より上方に延びる第１の起立面部および第２の起立面部と、前記第１の起立面部および前記第２の起立面部の接合部により形成された上方に延びるコーナー部と、前記コーナー部の上部に形成された頂部とを備え、前記第１の起立面部および前記第２の起立面部は、前記コーナー部と離間する先端方向に向かって高さが低くなる傾斜辺を有し、前記枕は、前記頂部より、前記第１の起立面部の先端方向および前記第２の起立面部の先端方向に延びかつ高さが徐々に低くなる傾斜面部を備え、かつ、前記傾斜面部は、前記使用者の頭部および肩部を載置可能な広さを備えており、
さらに、前記傾斜面部の先端部は、前記使用者の肩部載置部を形成しており、かつ、前記傾斜面部の先端部は、先端まで段差のない傾斜部となっており、さらに、前記傾斜面部は、実質的に曲面部を持たない平面状のものとなっていることを特徴とする右傾斜仰臥位形成用枕。
【請求項１３】
前記傾斜面部は、略矩形状を有し、前記傾斜面部の前記頂部に向かう対角線と前記底面部がなす傾斜角度は、１５〜３０°であり、かつ、前記頂部の高さが、１５〜６０ｃｍである請求項１２に記載の右傾斜仰臥位形成用枕。
【請求項１４】
前記頂部は、平坦部を有している請求項１２または１３に記載の右傾斜仰臥位形成用枕。
【請求項１５】
前記枕は、前記頂部より、前記第１の起立面部の傾斜上辺とほぼ平行に延びる第１起立面側平行傾斜面部を備えている請求項１２ないし１４のいずれかに記載の右傾斜仰臥位形成用枕。
【請求項１６】
前記枕は、前記頂部より、前記第２の起立面部の傾斜上辺とほぼ平行に延びる第２起立面側平行傾斜面を備えている請求項１２ないし１５のいずれかに記載の右傾斜仰臥位形成用枕。
【請求項１７】
前記枕は、前記第１の起立面部の先端部より所定角度屈曲して延びる第３の起立面を備え、前記第３の起立面は、前記傾斜面部の先端にて終端している請求項１２ないし１６のいずれかに記載の右傾斜仰臥位形成用枕。
【請求項１８】
前記底面部は、前記コーナー部の下端に向かって上方に傾斜する底面傾斜部を備えている請求項１２ないし１７のいずれかに記載の右傾斜仰臥位形成用枕。
【請求項１９】
前記底面傾斜部の前記底面部の他の部分に対する傾斜角度は、０．５〜７度である請求項１８に記載の右傾斜仰臥位形成用枕。
【考案の詳細な説明】
【技術分野】
【０００１】
本考案は、身体負荷が少ない右傾斜仰臥位を使用者が容易に形成することができる右傾斜仰臥位形成用枕に関する。
【背景技術】
【０００２】
布団等に寝るときは枕が使用される。枕は、身体を横にしたときに頭を載せるものである。従来の枕は、頭を上向きにして寝ること、いわゆる仰臥位を形成することを主眼とするものが一般的である。このため、通常の枕を用いた場合、使用者は、就寝時に仰臥位となる。しかし、仰臥位は、使用者の身体的状態によっては、かならずしも良好な睡眠時体位ではない。また、睡眠時には、寝返りを打つため、時によって、側臥位となることもある。これらの体位と使用者の身体的状態の組み合わせによっては、使用者が快適な睡眠を行えない場合がある。また、通常の水平位を保つ仰臥位の就寝では、立位よりも、血圧がやや高くなると言われている。
【０００３】
枕としては、多くのものが提案されており、例えば、特開２００６−１９８２１０（特許文献１）がある。この文献では、枕本体を頭部を挟むようにして取り付けることにより、睡眠中に仰臥位状態になっても半強制的に側臥位状態に戻すことができる側臥位枕が提案されている。
【０００４】
また、特開２００１−１１２５９９（特許文献２）には、仰臥したとき湾曲あるいは変形した身体の一部に生じる隙間を閉塞して胸筋の緊張を緩め、胸部の呼吸運動を容易にして、背骨等が湾曲している高齢者や長期療養者が仰臥位とすることを可能とし、かつ、その体型に対応して調節される体位安定補整枕が提案されている。
さらに、登録実用新案第３０２５４８４号公報（特許文献３）では、仰臥位での頚椎部の支持、後頭部の安定収納、横臥位での側頭部及び頚椎部の支持を行うことで安定した自然体での睡眠姿勢を保つことができる仰臥、横臥対応枕が提案されている。
【先行技術文献】
【特許文献】
【０００５】
【特許文献１】特開２００６−１９８２１０
【特許文献２】特開２００１−１１２５９９
【特許文献３】登録実用新案第３０２５４８４号公報
【考案の概要】
【考案が解決しようとする課題】
【０００６】
本願考案者が鋭意検討したところ、身体負荷が少ない睡眠時体位は、仰臥位、横臥位ではなく、心臓が若干上方となる右傾斜仰臥位であることを知見した。しかし、上記の特許文献のものでは、右傾斜仰臥位を形成することは困難である。
本考案の目的は、右傾斜仰臥位を使用者が容易に形成することができる枕を提供するものである。
【課題を解決するための手段】
【０００７】
上記目的を達成するものは、以下のものである。
（１）  使用者に斜め上方右向き仰臥位を形成させるための枕であって、前記枕は、底面部と、前記底面部の隣り合う２つの底辺部より上方に延びる第１の起立面部および第２の起立面部と、前記第１の起立面部および前記第２の起立面部の接合部により形成された上方に延びるコーナー部と、前記コーナー部の上部に形成された頂部とを備え、前記第１の起立面部および前記第２の起立面部は、前記コーナー部と離間する先端方向に向かって高さが低くなる傾斜辺を有し、前記枕は、前記頂部より、前記第１の起立面部の先端方向および前記第２の起立面部の先端方向に延びかつ高さが徐々に低くなる傾斜面部を備え、かつ、前記傾斜面部は、前記使用者の頭部および肩部を載置可能な広さを備えている右傾斜仰臥位形成用枕。
【０００８】
（２）  前記傾斜面部の先端部は、前記使用者の肩部載置部を形成しており、かつ、前記傾斜面部の先端部は、先端まで段差のない傾斜部となっている上記（１）に記載の右傾斜仰臥位形成用枕。
（３）  前記傾斜面部は、実質的に曲面部を持たない平面状のものとなっている上記（１）または（２）に記載の右傾斜仰臥位形成用枕。
（４）  前記傾斜面部は、略矩形状を有し、前記傾斜面部の前記頂部に向かう対角線と前記底面部がなす傾斜角度は、１５〜３０°である上記（１）ないし（３）のいずれかに記載の右傾斜仰臥位形成用枕。
（５）  前記頂部の高さが、１５〜６０ｃｍである上記（１）ないし（４）のいずれかに記載の右傾斜仰臥位形成用枕。
（６）  前記頂部は、平坦部を有している上記（１）ないし（５）のいずれかに記載の右傾斜仰臥位形成用枕。
（７）  前記枕は、前記頂部より、前記第１の起立面部の傾斜上辺とほぼ平行に延びる第１起立面側平行傾斜面部を備えている上記（１）ないし（６）のいずれかに記載の右傾斜仰臥位形成用枕。
（８）  前記枕は、前記頂部より、前記第２の起立面部の傾斜上辺とほぼ平行に延びる第２起立面側平行傾斜面を備えている上記（１）ないし（７）のいずれかに記載の右傾斜仰臥位形成用枕。
（９）  前記枕は、前記第１の起立面部の先端部より所定角度屈曲して延びる第３の起立面を備え、前記第３の起立面は、前記傾斜面部の先端にて終端している上記（１）ないし（８）のいずれかに記載の右傾斜仰臥位形成用枕。
（１０）  前記底面部は、前記コーナー部の下端に向かって上方に傾斜する底面傾斜部を備えている上記（１）ないし（９）のいずれかに記載の右傾斜仰臥位形成用枕。
（１１）  前記底面傾斜部の前記底面部の他の部分に対する傾斜角度は、０．５〜７度である上記（１０）に記載の右傾斜仰臥位形成用枕。
【０００９】
（１２）  使用者に斜め上方右向き仰臥位を形成させるための枕であって、前記枕は、底面部と、前記底面部の隣り合う２つの底辺部より上方に延びる第１の起立面部および第２の起立面部と、前記第１の起立面部および前記第２の起立面部の接合部により形成された上方に延びるコーナー部と、前記コーナー部の上部に形成された頂部とを備え、前記第１の起立面部および前記第２の起立面部は、前記コーナー部と離間する先端方向に向かって高さが低くなる傾斜辺を有し、前記枕は、前記頂部より、前記第１の起立面部の先端方向および前記第２の起立面部の先端方向に延びかつ高さが徐々に低くなる傾斜面部を備え、かつ、前記傾斜面部は、前記使用者の頭部および肩部を載置可能な広さを備えており、
さらに、前記傾斜面部の先端部は、前記使用者の肩部載置部を形成しており、かつ、前記傾斜面部の先端部は、先端まで段差のない傾斜部となっており、さらに、前記傾斜面部は、実質的に曲面部を持たない平面状のものとなっている右傾斜仰臥位形成用枕。
（１３）  前記傾斜面部は、略矩形状を有し、前記傾斜面部の前記頂部に向かう対角線と前記底面部がなす傾斜角度は、１５〜３０°であり、かつ、前記頂部の高さが、１５〜６０ｃｍである上記（１２）に記載の右傾斜仰臥位形成用枕。
（１４）  前記頂部は、平坦部を有している上記（１２）または（１３）に記載の右傾斜仰臥位形成用枕。
（１５）  前記枕は、前記頂部より、前記第１の起立面部の傾斜上辺とほぼ平行に延びる第１起立面側平行傾斜面部を備えている上記（１２）ないし（１４）のいずれかに記載の右傾斜仰臥位形成用枕。
（１６）  前記枕は、前記頂部より、前記第２の起立面部の傾斜上辺とほぼ平行に延びる第２起立面側平行傾斜面を備えている上記（１２）ないし（１５）のいずれかに記載の右傾斜仰臥位形成用枕。
（１７）  前記枕は、前記第１の起立面部の先端部より所定角度屈曲して延びる第３の起立面を備え、前記第３の起立面は、前記傾斜面部の先端にて終端している上記（１２）ないし（１６）のいずれかに記載の右傾斜仰臥位形成用枕。
（１８）  前記底面部は、前記コーナー部の下端に向かって上方に傾斜する底面傾斜部を備えている上記（１２）ないし（１７）のいずれかに記載の右傾斜仰臥位形成用枕。
（１９）  前記底面傾斜部の前記底面部の他の部分に対する傾斜角度は、０．５〜７度である上記（１８）に記載の右傾斜仰臥位形成用枕。
【考案の効果】
【００１０】
本考案の右傾斜仰臥位形成用枕は、使用者に斜め上方右向き仰臥位を形成させるための枕である。この右傾斜仰臥位形成用枕は、底面部と、底面部の隣り合う２つの底辺部より上方に延びる第１の起立面部および第２の起立面部と、第１の起立面部および第２の起立面部の接合部により形成された上方に延びるコーナー部と、コーナー部の上部に形成された頂部とを備え、第１の起立面部および第２の起立面部は、コーナー部と離間する先端方向に向かって高さが低くなる傾斜辺を有し、枕は、頂部より、第１の起立面部の先端方向および第２の起立面部の先端方向に延びかつ高さが徐々に低くなる傾斜面部とを備え、かつ、傾斜面部は、使用者の頭部および肩部を載置可能な広さを備えている。
このため、この枕に、使用者が頭部および肩部を載せ、仰向け状態となることにより、自然に右に傾斜し、右傾斜仰臥位を形成することができる。そして、この右傾斜仰臥位では心臓が上部にとなるため、血流改善、血圧改善、心臓負担軽減、胃のもたれ、無呼吸症候群、いびき等に改善に有効である。
【図面の簡単な説明】
【００１１】
【図１】図１は、本考案の実施例の右傾斜仰臥位形成用枕の斜視図である。
【図２】図２は、図１に示した右傾斜仰臥位形成用枕の正面図である。
【図３】図３は、図２に示した右傾斜仰臥位形成用枕の平面図である。
【図４】図４は、図２に示した右傾斜仰臥位形成用枕の底面図である。
【図５】図５は、図２に示した右傾斜仰臥位形成用枕の背面図である。
【図６】図６は、図２に示した右傾斜仰臥位形成用枕の右側面図である。
【図７】図７は、図２に示した右傾斜仰臥位形成用枕の左側面図である。
【図８】図８は、図３のＡ−Ａ線断面図である。
【図９】図９は、本考案の右傾斜仰臥位形成用枕の使用状態を示す図である。
【図１０】図１０は、本考案の他の実施例の右傾斜仰臥位形成用枕の斜視図である。
【図１１】図１１は、本考案の他の実施例の右傾斜仰臥位形成用枕の斜視図である。
【図１２】図１２は、本考案の他の実施例の右傾斜仰臥位形成用枕の斜視図である。
【図１３】図１３は、本考案の他の実施例の右傾斜仰臥位形成用枕の斜視図である。
【考案を実施するための形態】
【００１２】
本考案の右傾斜仰臥位形成用枕を図面に示す実施例を用いて説明する。
本考案の右傾斜仰臥位形成用枕１は、使用者に斜め上方右向き仰臥位を形成させるための枕である。右傾斜仰臥位形成用枕１は、底面部７と、底面部７の隣り合う２つの底辺部より上方に延びる第１の起立面部１１および第２の起立面部１２と、第１の起立面部１１および第２の起立面部１２の接合部により形成された上方に延びるコーナー部３と、コーナー部３の上部に形成された頂部３０とを備え、第１の起立面部１１および第２の起立面部１２は、コーナー部３と離間する先端方向に向かって高さが低くなる傾斜辺１１ａ，１２ａを有する。枕１は、頂部３０より、第１の起立面部１１の先端方向および第２の起立面部１２の先端方向に延びかつ高さが徐々に低くなる傾斜面部２を備え、かつ、傾斜面部２は、使用者の頭部および肩部を載置可能な広さを備えている。
この右傾斜仰臥位形成用枕１では、頭部のみならず上半身も安定する。また、就寝中に寝返りをうつことなく、左肩を上方に保つことにより、上半身を常に斜め右側に起こすような形で固定をする。
【００１３】
この実施例の右傾斜仰臥位形成用枕１は、図１ないし図７に示すように、矩形状、具体的には、ほぼ長方形状の底面部７を備える。この長方形状の底面部７は、使用者の頭部および肩部が載置される側の横方向長(具体的には、辺７ａ）が長く、縦方向長（辺７ｂ）が短いものとなっている。枕１（底面部７）の横方向長（辺７ａ長）は、４５〜１２０ｃｍであることが好ましく、さらには、６０〜１００ｃｍであることが好ましく、特に、７０〜９０ｃｍであることが好ましい。枕１（底面部７）の縦方向長（辺７ｂ長）は、３０〜１００ｃｍであることが好ましく、さらには、４０〜８０ｃｍであることが好ましく、特に、５０〜７０ｃｍであることが好ましい。また、枕１（底面部７）の横方向長（辺７ａ長）は、枕１（底面部７）の縦方向長（辺７ｂ長）より、５〜３５ｃｍ長いことが好ましく、特に、１０〜３０ｃｍ長いことが好ましい。
【００１４】
なお、底面部７は、正方形状、平行四辺形状であってもよい。さらには、図１０に示す右傾斜仰臥位形成用枕１ａのように、角が丸められたものであってもよい。
そして、右傾斜仰臥位形成用枕１は、図１ないし図８に示すように、底面部７の隣り合う２つの底辺部７ａ，７ｂより上方に延びる第１の起立面部１１および第２の起立面部１２とを備えている。
【００１５】
具体的には、第１の起立面部１１は、図５に示すように、底面部７の辺７ａを底辺（隣辺）とし、傾斜辺１１ａを斜辺とし、第２の起立面部１２との接合部であるコーナー部３を対辺（高さ）とする略三角形状のものとなっている。言い換えれば、第１の起立面部１１は、後述するコーナー部３（対辺）と離間する先端方向に向かって高さが低くなる傾斜辺１１ａを有している。さらに、この実施例の枕１における第１の起立面部１１は、頂点部および先端部が切り取られた２つの頂点部切除三角形状となっている。第１の起立面部１１は、底面部７に対して、ほぼ直角に起立するものとなっている。
【００１６】
また、第２の起立面部１２は、図６に示すように、底面部７の辺７ｂを底辺（隣辺）とし、辺１２ａを斜辺とし、第１の起立面部１１との接合部であるコーナー部３を対辺（高さ）とする略三角形状のものとなっている。言い換えれば、第２の起立面部１２は、後述するコーナー部３（対辺）と離間する先端方向に向かって高さが低くなる傾斜辺１２ａを有している。さらに、この実施例の枕１における第２の起立面部１２は、頂点部が切り取られた部分削除三角形状となっている。第２の起立面部１２は、底面部７に対して、ほぼ直角に起立するものとなっている。
【００１７】
そして、この実施例の右傾斜仰臥位形成用枕１は、第１の起立面部１１および第２の起立面部１２の接合部により形成された上方に延びるコーナー部３を備えている。コーナー部３は、底面部７の辺７ａの基端と辺７ｂの基端が接続し、角部より、垂直上方に延びるものとなっている。この実施例では、コーナー部３は、ほぼ直角に形成され、かつ上方に延びるものとなっている。なお、コーナー部は、図１０に示す右傾斜仰臥位形成用枕１ａのコーナー部３ａのように、角が丸められたものであってもよい。
【００１８】
そして、この実施例の右傾斜仰臥位形成用枕１では、コーナー部３は、上部に形成された頂部３０を備えている。そして、頂部３０は、平坦部となっている。枕１（底面部７）の高さ（底面部７から頂部３０までの距離）は、１５〜６０ｃｍであることが好ましく、さらには、２０〜５０ｃｍであることが好ましく、特に、２５〜４０ｃｍであることが好ましい。
【００１９】
そして、右傾斜仰臥位形成用枕１は、頂部３０より、第１の起立面部１１の先端方向および第２の起立面部１２の先端方向に延びかつ高さが徐々に低くなる傾斜面部２を備えている。また、傾斜面部２は、使用者の頭部および肩部を載置可能な広さを備えている。傾斜面部２は、図１および図２に示すように、略矩形状であり、４つの辺２ａ、２ｂ、２ｃおよび２ｄを備えている。傾斜面部２は、頂部３０より第１の起立面部１１の先端に向かって下方に傾斜する要素と、頂部３０より第２の起立面部１２の先端に向かって下方に傾斜する要素を備えた傾斜面となっている。２つの方向への傾斜要素を有する傾斜面部２を備えることにより、この枕は、使用者２０に、図９に示すように、容易に右傾斜仰臥位を形成させることができる。
【００２０】
辺２ａは、底面部７の辺７ｃの一部により形成されており、接地辺を形成している。そして、辺２ｃは、接地辺２ａの一端より、頂部３０方向に斜め上方に延びる第１の傾斜辺を形成している。また、辺２ｂは、辺２ａの先端（他端）より、斜め上方かつ、第１の起立面部１１の先端方向に向かう第２の傾斜辺を形成している。そして、辺２ｄは、第１の傾斜辺２ｃの上端と第２の傾斜辺２ｂの上端とを接続し、頂部３０に向かって斜め上方に延びる第３の傾斜辺を形成している。よって、傾斜面部２は、下方に向かって傾斜する３つの傾斜辺と最下部に位置する水平辺（接地辺）により取り囲まれた傾斜面である。この実施例の枕１における傾斜面部２は、実質的に曲面部を持たない平面状のものとなっている。なお、傾斜面部２は、若干の曲面要素を有するもの、また、全体が緩やかな凹面もしくは凸面となっているものであってもよい。
【００２１】
この実施例の右傾斜仰臥位形成用枕１では、傾斜面部２の下端角部、具体的には、辺２ａと辺２ｂの接合部および底面部７と辺２ａの接合部は、ほぼ直角に形成されている。しかし、この下端角部は、図１０に示す右傾斜仰臥位形成用枕１ａのように、角が丸められたものであってもよい。
【００２２】
そして、この実施例の右傾斜仰臥位形成用枕１では、傾斜面部２の先端部（具体的には、接地辺２ａからその上部付近）は、使用者の肩部載置部を形成しており、かつ、傾斜面部２の先端部は、先端部は、先端まで段差のない傾斜部となっている。このため、図９に示すように、使用者２０が、頭部のみならず肩を載せることが容易である。
【００２３】
傾斜面部２の頂部３０に向かう対角線２ｅと底面部７がなす傾斜角度θ１（図３のＡ−Ａ線断面である図６の傾斜角度θ１）は、１０〜４０度であることが好ましく、特に、１５〜３０度であることが好ましく、さらには、２０〜２６度であることが好ましい。なお、図３のＡ−Ａ線断面である図６の傾斜角度θ１は、約２３°となっている。
【００２４】
そして、この実施例の右傾斜仰臥位形成用枕１は、第１の起立面部１１の先端部より所定角度屈曲して延びる第３の起立面１３を備えている。そして、第３の起立面１３は、傾斜面部２の先端にて終端している。このため、第３の起立面１３は、底面部７の辺７ｄを底辺とし、傾斜面部２の第２の傾斜辺２ｂを斜辺とし、第１の起立面部１１の先端辺を対辺（高さ）とする略三角形状のものとなっている。この実施例の右傾斜仰臥位形成用枕１では、図１、図２および図５に示すように、上記の第３の起立面１３を備えることにより、枕１は、一端側側部は、基端部が低い高さ（第３の起立面１３の最高部の高さ）を持ち、かつ先端に向かって徐々に低くなり、かつ先端にて消失する段差部を備えている。また、この枕１は、他端側側部は、基端部が高い高さ（頂部３０の高さ）を持ち、かつ先端に向かって徐々に低くなり、先端にて消失する段差を備えている。
【００２５】
さらに、この実施例の右傾斜仰臥位形成用枕１は、図１、図３および図７に示すように、頂部３０より、第１の起立面部１１の傾斜上辺１１ａとほぼ平行に延びる第１起立面側平行傾斜面部５を備えている。この第１起立面側平行傾斜面部５は、傾斜面部２と異なり、第１の起立面部１１の先端に向かって下方に傾斜する要素のみをもつ傾斜面となっている。
【００２６】
さらに、この実施例の右傾斜仰臥位形成用枕１は、図１ないし図３に示すように、頂部３０の平坦部より、第２の起立面部１２の傾斜上辺とほぼ平行に延びる第２起立面側平行傾斜面６を備えている。この第２起立面側平行傾斜面部６は、傾斜面部２と異なり、第２の起立面部１２の先端に向かって下方に傾斜する要素のみをもつ傾斜面となっている。
【００２７】
さらに、この実施例の右傾斜仰臥位形成用枕１では、図１ないし図７に示すように、底面部７は、コーナー部３の下端に向かって上方に傾斜する底面傾斜部８を備えている。この底面傾斜部８を設けることにより、頭部や腕部を載せたとき、若干底面傾斜部側に枕が傾くため、枕の上方への移動を防止することができる。
底面傾斜部８の底面部７の他の部分に対する傾斜角度θ２およびθ３は、０．５〜７度であることが好ましく、特に、好ましくは、１〜５°である。なお、図５のθ２および図６のθ３は、約２°となっている。
【００２８】
なお、本考案の右傾斜仰臥位形成用枕としては、図１１に示す右傾斜仰臥位形成用枕１ｂのように、第３の起立面部を備えないものであってもよい。さらに、本考案の右傾斜仰臥位形成用枕としては、図１１に示す右傾斜仰臥位形成用枕１ｃのように、頂部３ｂが平坦部を備えず、第３の起立面部、第１および第２起立面側平行傾斜面部、底面傾斜部を備えないものであってもよい。
【００２９】
本考案の右傾斜仰臥位形成用枕の形成材料としては、ある程度の硬度と、ある程度の弾性を有するものが好ましい。具体的には、軟質フォームが好ましく、例えば、軟質ウレタンフォームが特に好ましい。軟質ウレタンフォームとしては、低反発弾性ウレタンフォーム、高反発弾性ウレタンフォームのいずれであってもよい。低反発弾性ウレタンフォームとしては、低反発弾性高硬度フォーム、低反発弾性低硬度フォームのいずれであってもよい。また、高反発弾性ウレタンフォームとしては、高反発弾性低硬度フォーム、高反発弾性高硬度フォームのいずれであってもよい。右傾斜仰臥位を安定なものとするためには、傾斜面部２の形成部分は、低反発弾性ウレタンフォームにて形成することが好ましい。
【００３０】
また、本考案の右傾斜仰臥位形成用枕は、単一材料にて形成されたものに限定されるものではない。例えば、図１３に示す右傾斜仰臥位形成用枕１ｄのように、コア部２１とコア部の上面を被包する上面層２２により形成されたものであってもよい。この場合、上面層２２は、上述した軟質フォームが好適に使用でき、特に、低反発弾性ウレタンフォームにて形成することが好ましい。また、コア部は、硬質な材料、例えば、木材、コルク、硬質樹脂、硬質ウレタンフォームなどにより形成してもよい。
【符号の説明】
【００３１】
１  右傾斜仰臥位形成用枕
２  傾斜面部
３  コーナー部
７  底面部
１１  第１の起立面部
１２  第２の起立面部
３０  頂部
【図１】
0003193403.tif 000003
【図２】
0003193403.tif 000004
【図３】
0003193403.tif 000005
【図４】
0003193403.tif 000006
【図５】
0003193403.tif 000007
【図６】
0003193403.tif 000008
【図７】
0003193403.tif 000009
【図８】
0003193403.tif 000010
【図９】
0003193403.tif 000011
【図１０】
0003193403.tif 000012
【図１１】
0003193403.tif 000013
【図１２】
0003193403.tif 000014
【図１３】
0003193403.tif 000015
【手続補正書】
【提出日】平成26年7月29日(2014.7.29)
【手続補正１】
【補正対象書類名】明細書
【補正対象項目名】００２７
【補正方法】変更
【補正の内容】
【００２７】
さらに、この実施例の右傾斜仰臥位形成用枕１では、図１ないし図７に示すように、底面部７は、コーナー部３の下端に向かって上方に傾斜する底面傾斜部８を備えている。この底面傾斜部８を設けることにより、頭部や肩部を載せたとき、若干底面傾斜部側に枕が傾くため、枕の上方への移動を防止することができる。
底面傾斜部８の底面部７の他の部分に対する傾斜角度θ２およびθ３は、０．５〜７度であることが好ましく、特に、好ましくは、１〜５°である。なお、図５のθ２および図６のθ３は、約２°となっている。